(57)【要約】      （修正有）【課題】断面Ｌ字形の長尺材を梱包するに適した梱包構造を提供する。【解決手段】上がり框１を梱包材２０で梱包する梱包構造１０であって、梱包材は、一枚の平板状材料を折り曲げて形成された被覆部と、対角部２２と、被覆部の長手方向両端の開口部を閉止する蓋部とを有して構成される。被覆部は、上がり框の第一面１１を覆う第一被覆部２１１と、第一被覆部の一端２１１ａから直交方向に延長して第二面１２を覆う第二被覆部２１２と、第二被覆部の先端２１２ａから直交方向に延長して第二面に直交する仮想面１３を覆う第三被覆部２１３と、第一被覆部の他端２１１ｂから直交方向に延長して仮想面１４を覆う第四被覆部２１４とを有する。対角部は、仮想２面の入隅に位置する第四被覆部の先端２１４ａから直交２面の入隅に向けて略対角線状に延長して設けられ、先端２２ａは該直交２面の入隅に実質的に突き当てられている。【選択図】図１
2018002228.tif 000002
【特許請求の範囲】
【請求項１】
断面Ｌ字形の長尺材を梱包材で梱包する梱包構造であって、梱包材は、断面矩形状の内部空間を有し、長尺材の直交する２面と該直交２面にそれぞれ対向する仮想２面とを覆う被覆部と、被覆部の長手方向両端の開口部を閉止する蓋部と、長尺材の仮想２面の入隅から長尺材の直交２面の入隅に向けて略対角線状に延長して、その先端が該長尺材の直交２面の入隅に実質的に突き当てられる対角部と、を有してなることを特徴とする梱包構造。
【請求項２】
前記被覆部は、長尺材の直交２面の一方である第一面を覆う第一被覆部と、第一被覆部の一端から直交方向に延長して長尺材の直交２面の他方である第二面を覆う第二被覆部と、第二被覆部の先端から直交方向に延長して長尺材の第二面に直交する仮想面を覆う第三被覆部と、第一被覆部の他端から直交方向に延長して該仮想面に直交する他方の仮想面を覆う第四被覆部とからなり、前記対角部は、長尺材の仮想２面の入隅に位置する第三被覆部および第四被覆部の少なくともいずれか一方の先端から長尺材の直交２面の入隅に向けて略対角線状に延長して設けられる対角部からなることを特徴とする、請求項１記載の梱包構造。
【請求項３】
第三被覆部の先端から対角部が延長するときは第四被覆部の先端から直交方向に延長して第三被覆部の外側に折り重ねられる第五被覆部が形成され、第四被覆部の先端から対角部が延長するときは第三被覆部の先端から直交方向に延長して第四被覆部の外側に折り重ねられる第五被覆部が形成されることを特徴とする、請求項２記載の梱包構造。
【請求項４】
前記対角部は、第三被覆部の先端から略対角線状に延長する第一対角部と、第四被覆部の先端から略対角線状に延長する第二対角部とからなることを特徴とする、請求項１または２記載の梱包構造。
【発明の詳細な説明】
【技術分野】
【０００１】
本発明は、玄関框などの断面Ｌ字形の長尺材をダンボールなどの梱包材で梱包した梱包構造に関する。
【背景技術】
【０００２】
建材の梱包構造としては、下記特許文献１を含めて多くの従来技術が知られているが、そのほとんどは、平板状の建材を対象としており、該建材を収容する断面矩形状の内部空間を有するように形成された梱包材を用いている。
【先行技術文献】
【特許文献】
【０００３】
【特許文献１】特開２００２−２６４９２４号公報
【発明の概要】
【発明が解決しようとする課題】
【０００４】
しかしながら、このような梱包材を用いて、玄関框などの断面Ｌ字形の長尺材を梱包すると、梱包材の内部空間に大きなスペースが残されることになり、梱包材に凹みが生じやすく、梱包した建材を破損させることがあった。これを防止するために、建材が存在しない残存スペースに紙やビニールなどの充填物を詰めて梱包することも行われているが、梱包材とは別に充填物を用意して、建材を梱包した後に残存スペースに充填する作業を行わなければならず、保管や梱包・開梱の作業が煩雑になる。また、開梱時に取り出した充填物を廃棄することになると、資源の無駄を生ずる。
【０００５】
したがって、本発明が解決しようとする課題は、玄関框などの断面Ｌ字形の長尺材を梱包するに適した梱包構造を提供し、これにより、このような形状の建材の梱包・開梱作業を効率よく行えるようにする共に、資源の無駄を無くすことである。
【課題を解決するための手段】
【０００６】
この課題を解決するため、請求項１に係る本発明は、断面Ｌ字形の長尺材を梱包材で梱包する梱包構造であって、梱包材は、断面矩形状の内部空間を有し、長尺材の直交する２面と該直交２面にそれぞれ対向する仮想２面とを覆う被覆部と、被覆部の長手方向両端の開口部を閉止する蓋部と、長尺材の仮想２面の入隅から長尺材の直交２面の入隅に向けて略対角線状に延長して、その先端が該長尺材の直交２面の入隅に実質的に突き当てられる対角部と、を有してなることを特徴とする。
【０００７】
請求項２に係る本発明は、請求項１記載の梱包構造において、前記被覆部は、長尺材の直交２面の一方である第一面を覆う第一被覆部と、第一被覆部の一端から直交方向に延長して長尺材の直交２面の他方である第二面を覆う第二被覆部と、第二被覆部の先端から直交方向に延長して長尺材の第二面に直交する仮想面を覆う第三被覆部と、第一被覆部の他端から直交方向に延長して該仮想面に直交する他方の仮想面を覆う第四被覆部とからなり、前記対角部は、長尺材の仮想２面の入隅に位置する第三被覆部および第四被覆部の少なくともいずれか一方の先端から長尺材の直交２面の入隅に向けて略対角線状に延長して設けられる対角部からなることを特徴とする。
【０００８】
請求項３に係る本発明は、請求項２記載の梱包構造において、第三被覆部の先端から対角部が延長するときは第四被覆部の先端から直交方向に延長して第三被覆部の外側に折り重ねられる第五被覆部が形成され、第四被覆部の先端から対角部が延長するときは第三被覆部の先端から直交方向に延長して第四被覆部の外側に折り重ねられる第五被覆部が形成されることを特徴とする。
【０００９】
請求項４に係る本発明は、請求項１または２記載の梱包構造において、前記対角部は、第三被覆部の先端から略対角線状に延長する第一対角部と、第四被覆部の先端から略対角線状に延長する第二対角部とからなることを特徴とする。
【発明の効果】
【００１０】
請求項１に係る本発明によれば、断面Ｌ字形の長尺材を断面矩形状の内部空間を有する梱包材で梱包するに際して、長尺材の直交２面間の入隅と、長尺材が存在しない仮想２面間の入隅との間に、対角部が略対角線状に設けられるので、長尺材が存在しない部分で梱包材が凹むことを抑制し、万一梱包材が凹んだ場合であっても、対角部が介在するので長尺材の破損を防止することができる。
【００１１】
梱包材は、一枚の平板状材料を折り曲げて形成されており、既述した従来技術のように梱包材とは別の材料（充填物）を用いないので、保管や梱包・開梱を効率よく行うことができ、資源の無駄を生ずることもない。
【００１２】
請求項２に係る本発明によれば、断面Ｌ字形の長尺材を梱包材で梱包するに適した梱包構造の好適な一実施形態が提供される。この梱包構造に使用される梱包材は、矩形状断面形状の内部空間を有する従来技術の梱包材に、対角部を追加するだけで形成されるので、比較的低コストで容易に製作することができる。
【００１３】
請求項３に係る本発明によれば、長尺材が存在しない仮想面の一方が第三被覆部または第四被覆部と第五被覆部とで二重に被覆されるので、より強度が大きく凹みを生じにくい梱包構造が得られる。
【００１４】
請求項４に係る本発明によれば、断面Ｌ字形の長尺材を梱包材で梱包するに適した梱包構造の好適な別の実施形態が提供される。この梱包構造に使用される梱包材は、矩形状断面形状の内部空間を有する従来技術の梱包材に、対角部を追加するだけで形成されるので、比較的低コストで容易に製作することができる。
【００１５】
請求項４に係る本発明によれば、対角部が第一対角部と第二対角部とで二重に形成されるので、より強度が大きく凹みを生じにくい梱包構造が得られる。
【図面の簡単な説明】
【００１６】
【図１】本発明の一実施形態（実施例１）による梱包構造を示す断面図であり、（ａ）はこの梱包構造で梱包される上がり框の一例を示す断面図であり、（ｂ）はこの上がり框を梱包材で梱包した状態を示す断面図である。
【図２】図１の梱包構造に用いられる梱包材の展開状態図である。
【図３】本発明の他実施形態（実施例２）による梱包構造を示す断面図であり、（ａ）はこの梱包構造で梱包される上がり框の一例を示す断面図であり、（ｂ）はこの上がり框を梱包材で梱包した状態を示す断面図である。
【図４】図３の梱包構造に用いられる梱包材の展開状態図である。
【発明を実施するための形態】
【００１７】
本発明による梱包構造について以下に実施例を挙げて説明する。
【実施例１】
【００１８】
実施例１による梱包構造について、図１および図２を参照して説明する。この梱包構造１０は、図１（ａ）に示すような断面形状を有する玄関框（上がり框）１を梱包するに適している。上がり框１は断面Ｌ字形の長尺材（紙面鉛直方向に長い）であり、その表面から両端部においては裏面側にまで回り込むように化粧シート２が貼着されると共に、裏面の一部にはこの上がり框１を玄関の床面に貼着して施工するための両面テープ３が設けられている。
【００１９】
図示の上がり框１は一例であり、断面Ｌ字形の長尺材であれば、化粧シート２および／または両面テープ３の有無や材料は不問である。また、断面Ｌ字形とは、上がり框１の直交する２片１ａ，１ｂから実質的にＬ字形の断面形状を有するように形成され、他の２片が実質的に存在しないことから対角線側に大きく開放していることを意味するが、他の２片が全く存在しない場合（図示例）だけでなく、直交片１ａ，１ｂの一方または両方の先端から短く折り返された部分を有するような形状も含むものとして理解すべきである。
【００２０】
なお、上がり框１の片１ａ，１ｂの表面を１１，１２とし、これらにそれぞれ対向する仮想面を１３，１４とする。すなわち、上がり框１の直交する２つの表面１１，１２と、直交する２つの仮想面１３，１４とで、仮想矩形の表面が形成される。
【００２１】
この梱包構造１０に用いる梱包材２０は、一枚の平板状の材料（この実施例ではダンボール）を折り曲げて形成される被覆部２１と、対角部２２と、蓋部２３とを有してなる。
【００２２】
被覆部２１は、上がり框１の表面１１を覆う第一被覆部２１１と、第一被覆部２１１の一端２１１ａから直交方向に延長して上がり框１の表面１２を覆う第二被覆部２１２と、第二被覆部２１２の先端２１２ａから直交方向に延長して仮想面１３を覆う第三被覆部２１３と、第一被覆部２１１の他端２１１ｂから直交方向に延長して仮想面１４を覆う第四被覆部２１４と、第三被覆部２１３の先端２１３ａから直交方向に連続して第四被覆部２１４の外側に重なる第五被覆部２１５とを有してなる。被覆部２１は、これら第一ないし第五被覆部２１１〜２１５から断面矩形状の内部空間２４を有するように形成された中空体である。
【００２３】
第四被覆部２１４の先端２１４ａは、仮想面１３，１４の入隅に位置し、対角部２２は、この先端２１４ａから、上がり框１の直交面１１，１２の入隅に向けて略対角線状に延長して、その先端２２ａは、上がり框１の直交面１１，１２の入隅に実質的に突き当てられた状態となっている。
【００２４】
蓋部２３は、断面矩形状の内部空間２４を有する中空体に形成された被覆部２１の長手方向両端の開口部を閉止するものであり、より具体的には、第一ないし第四被覆部２１１〜２１３，２１５の長手方向両端から、被覆部２１の長手方向両端の開口部を完全に閉止するに十分な長さだけ延長して形成された第一ないし第四蓋部２３１〜２３４（図２）からなる。
【００２５】
既述したように、梱包材２０は、一枚の平板状の材料（ダンボール）を折り曲げて形成されるものであり、断面矩形状の内部空間２４を有する中空体として形成される前の展開状態が図２に示されている。第一ないし第五被覆部２１１〜２１５は、長手方向に延長する折曲部２６（２６１〜２６５）に沿ってダンボール２５を順次に直角に折り返していくことによって形成され、対角部２２は、長手方向に延長する折曲部２７に沿って第四被覆部２１４に対してダンボール２５を斜め内方に折り曲げることによって形成され、第一ないし第四蓋部２３１〜２３４は、短手方向に延長する折曲部２８（２８１〜２８４）に沿ってダンボール２５を第一ないし第三被覆部２１１〜２１３および第五被覆部２１５に対してそれぞれ直角に折り曲げることによって形成される。
【００２６】
この実施例では、上がり框１は厚さ１２．３ｍｍのＭＤＦを基材とし、施工状態で垂下片となる片１ａの長さ（高さ）は１６８ｍｍ、水平片となる片１ｂの長さ（幅）は１００ｍｍ、長尺方向の長さは２９５０ｍｍまたは１９５０ｍｍである。これを梱包する梱包材１０は、厚さ３ｍｍのダンボール２５（図１（ａ）では厚さを強調して示されている）から形成され、第一ないし第五被覆部２１１〜２１５の幅は、対応する上がり框１の寸法（２９５０ｍｍ、１９５０ｍｍ）と同一であり、対角部２２の延長幅は、その先端２２ａが上がり框１の直交２面１１，１２の入隅に実質的に突き当たる寸法（＝対角線の長さ）となるように設定されている。第一ないし第四蓋部２３１〜２３４の延長長さは、被覆部２１の長手方向両端の開口部を完全に閉止することができるように、対応する上がり框１の寸法（片１ｂの長さ（幅）＝１００ｍｍ）＋３ｍｍとされている。折曲部２６〜２８の幅はいずれも６ｍｍである。
【００２７】
このような梱包構造１０によれば、図１（ｂ）に示すように、断面Ｌ字形の上がり框１を断面矩形状の内部空間２４を有する梱包材２０で梱包するに際して、上がり框１の直交面１１，１２の入隅と、上がり框１が存在しない仮想面１３，１４の入隅との間に、対角部２２が略対角線状に設けられるので、梱包材２０の内部空間２４の断面形状を矩形状に維持する支持手段として働き、上がり框１が存在しない部分で梱包材２０が凹むことを抑制する。仮想面１３，１４側から大きな衝撃を受けて梱包材２０の第三被覆部２１３および／または第四被覆部２１４が凹んでしまった場合でも、上がり框１の片１ａ，１ｂとの間に介在する対角部２２が緩衝材として働くので、上がり框１の破損を防止することができる。
【００２８】
なお、この実施例では、第三被覆部２１３の先端２１３ａから第一被覆部２１１の他端２１１ｂ近くまで延長する第五被覆部２１５を形成して第四被覆部２１４の外側に折り重ね、仮想面１４を第四被覆材２１４と第五被覆部２１５とで覆うようにしているが、第五被覆部２１５は第四被覆部２１４の途中で終端するように短く形成しても良いし、第五被覆部２１５自体を省略しても良い。また、この実施例では、対角部２２を第四被覆部２１４の先端２１４ａから延長するものとして形成しているが、第五被覆部２１５を省略する場合は、これに代えて、第三被覆部２１３の先端２１３ａから対角部２２を延長させても良い。
【実施例２】
【００２９】
実施例２による梱包構造について、図３および図４を参照して説明する。この梱包構造３０は、図３（ａ）に示すような断面形状を有する玄関框（上がり框）１Ａを梱包するに適している。上がり框１Ａは断面Ｌ字形の長尺材（紙面鉛直方向に長い）であり、その表面から両端部においては裏面側にまで回り込むように化粧シート２Ａが貼着されると共に、裏面の一部にはこの上がり框１Ａを玄関の床面に貼着して施工するための両面テープ３Ａが設けられている。
【００３０】
図示の上がり框１Ａは一例であり、断面Ｌ字形の長尺材であれば、化粧シート２Ａおよび／または両面テープ３Ａの有無や材料は不問である。また、断面Ｌ字形とは、上がり框１Ａの直交する２片１Ａａ，１Ａｂから実質的にＬ字形の断面形状を有するように形成され、他の２片が実質的に存在しないことから対角線側に大きく開放していることを意味するが、他の２片が全く存在しない場合（図示例）だけでなく、直交片１Ａａ，１Ａｂの一方または両方の先端から短く折り返された部分を有するような形状も含むものとして理解すべきである。
【００３１】
なお、上がり框１Ａの片１Ａａ，１Ａｂの表面を３１，３２とし、これらにそれぞれ対向する仮想面を３３，３４とする。すなわち、上がり框１Ａの直交する２つの表面３１，３２と、直交する２つの仮想面３３，３４とで、仮想矩形の表面が形成される。
【００３２】
この梱包構造３０に用いる梱包材４０は、一枚の平板状の材料（この実施例ではダンボール）を折り曲げて形成される被覆部４１と、対角部４２と、蓋部４３とを有してなる。
【００３３】
被覆部４１は、上がり框１の表面３１を覆う第一被覆部４１１と、第一被覆部４１１の一端４１１ａから直交方向に延長して上がり框１Ａの表面３２を覆う第二被覆部４１２と、第二被覆部４１２の先端４１２ａから直交方向に延長して仮想面３３を覆う第三被覆部４１３と、第一被覆部４１１の他端４１１ｂから直交方向に延長して仮想面３４を覆う第四被覆部４１４とを有してなる。被覆部４１は、これら第一ないし第四被覆部４１１〜４１４から断面矩形状の内部空間４４を有するように形成された中空体である。
【００３４】
第三被覆部４１３の先端４１３ａと第四被覆部４１４の先端４１４ａは、隣接した状態で仮想面３３，３４の入隅に位置し、第三被覆部４１３の先端４１３ａから延長する第一対角部４２１と、第四被覆部４１４の先端４１４ａから延長する第二対角部４２２とで、対角部４２を形成している。第一対角部４２１と第二対角部４２２は、互いに重なり合って、上がり框１Ａの直交面３１，３２の入隅に向けて略対角線状に延長して、それらの先端４２１ａ，４２２ａは、上がり框１Ａの直交面３１，３２の入隅に実質的に突き当てられた状態となっている。
【００３５】
蓋部４３は、断面矩形状の内部空間４４を有する中空体に形成された被覆部４１の長手方向両端の開口部を閉止するものであり、より具体的には、第一ないし第四被覆部４１１〜４１４の長手方向両端から、被覆部４１の長手方向両端の開口部を完全に閉止するに十分な長さだけ延長して形成された第一ないし第四蓋部４３１〜４３４（図４）からなる。
【００３６】
既述したように、梱包材４０は、一枚の平板状の材料（ダンボール）を折り曲げて形成されるものであり、断面矩形状の内部空間４４を有する中空体として形成される前の展開状態が図４に示されている。第一ないし第四被覆部４１１〜４１４は、長手方向に延長する折曲部４６（４６１〜４６３）に沿ってダンボール４５を順次に直角に折り返していくことによって形成され、対角部４２１および対角部４２２は、長手方向に延長する折曲部４７（４７１，４７２）に沿って第三被覆部４１３および第四被覆部４１４に対してそれぞれダンボール４５を斜め内方に折り曲げることによって形成され、第一ないし第四蓋部４３１〜４３４は、短手方向に延長する折曲部４８（４８１〜４８４）に沿ってダンボール４５を第一ないし第四被覆部４１１〜４１４に対してそれぞれ直角に折り曲げることによって形成される。
【００３７】
この実施例では、上がり框１Ａは厚さ４．０ｍｍのＭＤＦを基材とし、施工状態で垂下片となる片１Ａａの長さ（高さ）は１３０ｍｍ、水平片となる片１Ａｂの長さ（幅）は８０ｍｍ、長尺方向の長さは２９５０ｍｍまたは１９５０ｍｍである。これを梱包する梱包材４０は、厚さ３ｍｍのダンボール４５（図３（ａ）では厚さを強調して示されている）から形成され、第一ないし第四被覆部４１１〜４１４の幅は、対応する上がり框１Ａの寸法（２９５０ｍｍ、１９５０ｍｍ）と同一であり、対角部４２１，４２２の延長幅は、その先端４２１ａ，４２２ａが上がり框１Ａの直交２面３１，３２の入隅に実質的に突き当たる寸法（＝対角線の長さ）となるように設定されている。第一ないし第四蓋部４３１〜４３４の延長長さは、被覆部４１の長手方向両端の開口部を完全に閉止することができるように、対応する上がり框１Ａの寸法（片１Ａｂの長さ（幅）＝８０ｍｍ）＋３ｍｍとされている。折曲部４６〜４８の幅はいずれも６ｍｍである。
【００３８】
このような梱包構造３０によれば、図３（ｂ）に示すように、断面Ｌ字形の上がり框１Ａを断面矩形状の内部空間４４を有する梱包材４０で梱包するに際して、上がり框１Ａの直交面３１，３２の入隅と、上がり框１Ａが存在しない仮想面３３，３４の入隅との間に、２つの対角部４２１，４２２が重なり合った状態で略対角線状に設けられるので、梱包材４０の断面矩形状内部空間４４を維持する支持手段として働き、上がり框１Ａが存在しない部分で梱包材４０が凹むことを抑制する。仮想面３３，３４側から大きな衝撃を受けて梱包材４０の第三被覆部４１３および／または第四被覆部４１４が凹んでしまった場合でも、上がり框１Ａの片１Ａａ，１Ａｂとの間に介在する対角部４２１，４２２が緩衝材として働くので、上がり框１Ａの破損を防止することができる。
【００３９】
なお、この実施例では、対角部４２を、第三被覆部４１３の先端４１３ａから延長する第一対角部４２１と、第四被覆部４１４の先端４１４ａから延長する第二対角部４２１の２つの対角部で構成しているが、いずれか一方の対角部のみで構成しても良い。
【００４０】
以上に図示実施形態に基いて本発明を詳細に説明したが、本発明はこれに限定されるものではなく、特許請求の範囲に記載される発明の範囲内において多種多様に変更して実施可能である。
【符号の説明】
【００４１】
１，１Ａ  上がり框（断面Ｌ字形の長尺材）
１ａ，１ｂ；１Ａａ，１Ａｂ  長尺材の直交する２片
２，２Ａ  化粧シート
３，３Ａ  両面テープ
１０  梱包構造
１１  長尺材の表面（第一面）
１２  長尺材の表面（第二面）
１３  仮想面
１４  仮想面
２０  梱包材
２１  被覆部
２１１  第一被覆部
２１１ａ  一端
２１１ｂ  他端
２１２  第二被覆部
２１２ａ  先端
２１３  第三被覆部
２１３ａ  先端
２１４  第四被覆部
２１４ａ  先端
２１５  第五被覆部
２２  対角部
２２ａ  先端
２３  蓋部
２３１  第一蓋部
２３２  第二蓋部
２３３  第三蓋部
２３４  第四蓋部
２４  断面矩形状の内部空間
２５  ダンボール
２６（２６１〜２６４）  被覆部同士の折曲部
２７  対角部の折曲部
２８（２８１〜２８４）  蓋部の折曲部
３０  梱包構造
３１  長尺材の表面（第一面）
３２  長尺材の表面（第二面）
３３  仮想面
３４  仮想面
４０  梱包材
４１  被覆部
４１１  第一被覆部
４１１ａ  一端
４１１ｂ  他端
４１２  第二被覆部
４１２ａ  先端
４１３  第三被覆部
４１３ａ  先端
４１４  第四被覆部
４１４ａ  先端
４２  対角部
４２１  第一対角部
４２１ａ  先端
４２２  第二対角部
４２２ａ  先端
４３  蓋部
４３１  第一蓋部
４３２  第二蓋部
４３３  第三蓋部
４３４  第四蓋部
４４  断面矩形状の内部空間
４５  ダンボール
４６（４６１〜４６３）  被覆部同士の折曲部
４７（４７１，４７２）  対角部の折曲部
４８（４８１〜４８４）  蓋部の折曲部
【図１】
2018002228.tif 000003
【図２】
2018002228.tif 000004
【図３】
2018002228.tif 000005
【図４】
2018002228.tif 000006